(57)【特許請求の範囲】
【請求項１】
かご室の壁に埋設されるボックスと、前記ボックスの開口部を覆うように前記ボックスに回動可能に取り付けられるフェースプレートとを有するエレベータのかご操作盤において、
前記フェースプレートの回動中心となる中心軸を有する一対のヒンジ機構を前記ボックス内に備え、前記ヒンジ機構は、前記壁に垂直な方向に前記フェースプレートを引き出し／押し込み可能なスライド機構と、回動する前記フェースプレートに前記壁が干渉しないように前記中心軸を支持する支持部材と、を有し、
前記支持部材は、前記ボックスの側面と平行な一片と前記の一片と垂直な他片とからなるＬ字形アングル部材からなり、前記一片で前記スライド機構を保持し、前記他片で前記中心軸を前記ボックスの幅方向に外側の位置で保持することを特徴とするエレベータのかご操作盤。
【請求項２】
前記Ｌ字形アングル部材は、前記中心軸の位置を前記ボックスの幅に対して調整可能な調整手段を有することを特徴とする請求項１に記載のエレベータのかご操作盤。
【請求項３】
前記調整手段は、前記Ｌ字形アングル部材の前記他片に対する固定位置をボルト穴の位置に応じて前記ボックスの幅方向に調整可能な調整板を有し、前記調整板に前記中心軸を固着したことを特徴とする請求項２に記載のエレベータのかご操作盤。
【請求項４】
前記調整手段は、前記Ｌ字形アングル部材と、前記スライド機構の間に介装されたスペーサからなることを特徴とする請求項２に記載のエレベータのかご操作盤。
【請求項５】
一対の前記ヒンジ機構では、各中心軸は、前記Ｌ字形アングル部材から同じ方向に立ち上がるようになっていることを特徴とする請求項１に記載のエレベータのかご操作盤。
【発明の詳細な説明】
【技術分野】
【０００１】
本発明の実施形態は、エレベータのかご操作盤に関する。
【背景技術】
【０００２】
エレベータの乗りかごには、かご操作盤が設置されている。かご操作盤には、乗場呼び釦や、戸開釦および戸閉釦や、乗りかごの位置を示すインジケータ等が設けられている。
【０００３】
かご操作盤では、かご室の壁に埋設された箱状のボックスに、フェースプレートを取り付け、上記した各種釦等の表面だけが露出するようになっている。
【０００４】
各種釦と連動するスイッチや点灯用のＬＥＤの回路基板、端子台などの電装部品は、フェースプレートの裏側に取り付けられている。ボックスにフェースプレートを取り付けると、電装部品はボックスの中に収容される。
【０００５】
従来、かご操作盤では、点検作業時に、回路を点検し、電装部品を交換できるように、フェースプレートを開閉できるようになっている。従来のかご操作盤では、フェースプレートとボックスとを蝶番などで連結し、蝶番の支軸を中心にフェースプレートを回転させる構造が一般に採用されている。
【０００６】
かご操作盤の点検作業時には、フェースプレートを開放した状態で作業が行われる。従来から、点検作業性を向上させるため、かご操作盤には様々な改良が加えられており、例えば、特許文献１では、フェースプレートを開放したときに開放状態を保持する支持体と蝶番を設けたかご操作盤を提案している。
【０００７】
ところで、耐用年数に近づき、老朽化した既設のかご操作盤は、新しいかご操作盤に更新（リニューアル）されることがある。この種の既設かご操作盤のリニューアル工事は、釦スイッチや回路基板などの電装品一式を一新することを主目的として行われている。このため、既設のボックスはそのまま残して、電装品一式が取り付けられたフェースプレートだけを更新できれば、かご操作盤は実質的に更新されることになる。
【先行技術文献】
【特許文献】
【０００８】
【特許文献１】特開２０１２−１６６９１９号公報
【発明の概要】
【発明が解決しようとする課題】
【０００９】
しかしながら、かご操作盤のリニューアル工事では、既設のボックスと異なる大きさの新しいフェースプレートに更新しなければならない場合がある。この場合、蝶番などでボックスとフェースプレートとが連結されている構造の従来の既設のかご操作盤では、ボックスに対してフェースプレートの大きさが合わないため、取り付けることができないことがある。
【００１０】
この場合には、既設のボックスだけでなく、このボックスを固定している側板も交換しなければならず、リニューアル工事の工数が増えるだけでなく、ボックスや側板などの交換費用が嵩むという問題があった。
【００１１】
本発明は、前記従来技術の有する問題点に鑑みなされたものであって、新しいフェースプレートが既設のボックスと大きさが異なっていたとしても、既設のボックスをそのまま利用して、新しいフェースプレートを取り付け、かご操作盤をリニューアルすることができるようにしたエレベータのかご操作盤を提供することを目的とする。
【課題を解決するための手段】
【００１２】
前記の目的を達成するために、本発明は、かご室の壁に埋設されるボックスと、前記ボックスの開口部を覆うように前記ボックスに回動可能に取り付けられるフェースプレートとを有するエレベータのかご操作盤において、前記フェースプレートの回動中心となる中心軸を有する一対のヒンジ機構を前記ボックス内に備え、前記ヒンジ機構は、前記壁に垂直な方向に前記フェースプレートを引き出し／押し込み可能なスライド機構と、回動する前記フェースプレートに前記壁が干渉しないように前記中心軸を支持する支持部材と、を有し、前記支持部材は、前記ボックスの側面と平行な一片と前記の一片と垂直な他片とからなるＬ字形アングル部材からなり、前記一片で前記スライド機構を保持し、前記他片で前記中心軸を前記ボックスの幅方向に外側の位置で保持することを特徴とするものである。
【図面の簡単な説明】
【００１３】
【図１】本発明の実施形態によるエレベータのかご操作盤が設置された乗りかごのかご室を示す正面図である。
【図２】本発明の一実施形態によるエレベータのかご操作盤の縦断面図である。
【図３】図２のエレベータのかご操作盤で用いられるヒンジ機構を示す斜視図である。
【図４】図３と異なる方向からヒンジ機構を示す斜視図である。
【図５】フェースプレートが開いた状態のかご操作盤の横断面図である。
【図６】フェースプレートの交換に際して、フェースプレートを開く手順を示す横断面図である。
【図７】かご操作盤のボックスの幅に違いによって、ヒンジ機構の中心軸がシフトする状況を説明する図である。
【図８】本発明の第２実施形態によるエレベータのかご操作盤で用いられるヒンジ機構を示す斜視図である。
【図９】本発明の第２実施形態によるエレベータのかご操作盤で用いられるヒンジ機構の他の変形例を示す斜視図である。
【図１０】本発明の第２実施形態によるエレベータのかご操作盤で用いられるヒンジ機構のさらに他の変形例を示す斜視図である。
【図１１】本発明の第２実施形態によるエレベータのかご操作盤で用いられるヒンジ機構のさらに他の変形例を示す斜視図である。
【図１２】本発明の第２実施形態によるエレベータのかご操作盤で用いられるヒンジ機構のさらに他の変形例を示す斜視図である。
【発明を実施するための最良の形態】
【００１４】
以下、本発明によるエレベータのかご操作盤の一実施形態について、添付の図面を参照しながら説明する。  
第１実施形態  
図１は、本発明の一実施形態によるかご操作盤が設置された乗りかごのかご室を示す正面図である。この図１において、参照番号１０は、乗りかごの扉を示す。扉１０の両脇には、袖壁１２があり、かご操作盤１４は、片側の袖壁１２に設置されている。
【００１５】
かご操作盤１４には、停止する階床の数字が示されている複数の乗場呼び釦１５と、戸開釦１６および戸閉釦１７の他、乗りかごの現在位置を示すインジケータ１８が設けられている。これらの釦類１５，１６、１７、インジケータ１８の表面は、フェースプレート２０から露出するようになっている。
【００１６】
次に、図２は、かご操作盤１４の縦断面を示す。かご操作盤１４は、筐体状のボックス２２とフェースプレート２０とを備えている。フェースプレート２０は、ボックス２２の開放されている開口部を開閉するように、ヒンジ機構２４の有するピン３０をフェースプレート２０に取り付けた軸受部材３１に嵌合させることで、ボックス２２に回動自在に取り付けられる。フェースプレート２０は、ボックス２２の開口部を閉じるのに十分な長さと横幅をもつ縦長の蓋状の部材である。
【００１７】
フェースプレート２０の裏側には、図１に示した乗場呼び釦１５、戸開釦１６および戸閉釦１７などのスイッチ類、これらの部品の回路基板や、端子台などを含む、操作盤に必要な電装部品２５が取り付けられている。図２では、これらの電装部品２５の詳細は省略されている。これらの電装品２５は、フェースプレート２０が閉じられると、ボックス２２に収納される。
【００１８】
このようなフェースプレート２０を回動可能に支持するヒンジ機構２４は、ボックス２２内部で上下方向に距離をおいて２箇所に配置されている。  
ここで、図３並びに図４は、ヒンジ機構２４の構成を示す斜視図である。本実施形態によるヒンジ機構２４は、Ｌ字形アングル部材２６と、ガイドロッド２７と、スライド筒２８と、フェースプレート２０の回動中心軸としてのピン３０とを含む。
【００１９】
L字形アングル部材２６は、金属製の帯状の板をＬ字形に曲げた部材である。Ｌ字形アングル部材２６は、ヒンジ機構２４をボックス２２内に取り付けた場合に、ボックス２２の側面に平行となるスライド筒支持部２６ａと、直角に折れ曲がってボックス２２の側面と垂直となる中心軸支持部２６ｂとからなる。
【００２０】
この実施形態では、ガイドロッド２７の後端部（フェースプレート２０が無い側）は、ねじ等によってボックス２２の底面に固着される。スライド筒２８は、ガイドロッド２７にスライド自在に嵌合するようになっており、ブラケット２９を介してＬ字形アングル部材２６のスライド筒支持部２６ａに固着されている。
【００２１】
他方、フェースプレート２０を開閉するときのその回動中心となるピン３０は、Ｌ字形アングル部材２６の重心軸支持部２６ｂに固着されている。この場合、図２に示されるように、ヒンジ機構２４をボックス２２に取り付けた状態で、上下のヒンジ機構２４とも、ピン３０は、鉛直上方に中心軸支持部２６ｂから突き出るようになっている。
【００２２】
フェースプレート２０の裏面には、各ヒンジ機構２４に対応した位置にＬ字形の軸受金具３１が取り付けられている。フェースプレート２０の裏面から垂直に立ち上がった軸受金具３１には、ピン３０が嵌合する穴が形成されている。この場合、フェースプレート２０を上からヒンジ機構２４に下ろすようにして、軸受金具３１をピン３０に嵌め合わせることができるようになっている。
【００２３】
ここで、図５は、ボックス２２にフェースプレート２０をヒンジ機構２４介して連結したときのピン３０の位置と、フェースプレート２０の位置関係を示す図である。  
図５に示されるように、ヒンジ機構２４は、ボックス２２の内側において、長手方向の側面に寄せた位置に配置される。  
この実施形態では、L字形アングル部材２６は、中心軸支持部２６ｂが折れ曲がってボックス２２の外側まで延長しているので、中心軸であるピン３０の位置をボックス２２の幅方向に所定の距離だけ外側の位置に設定することができるようになっている。
【００２４】
本実施形態によるエレベータのかご操作盤は、以上のように構成されるものであり、次に、既設のかご操作盤のフェースプレート２０を交換し、新しいかご操作盤に更新するリニューアルとの関連において、本実施形態の作用および効果について説明する。  
図６は、フェースプレート２０の交換に際して、フェースプレート２０を開く手順を示す図である。このうち、図６（ａ）は、フェースプレート２０がボックス２２に対して閉じられた状態を示している。
【００２５】
フェースプレート２０を開くには、まずフェースプレート２０を手前側、この場合、かご室側に引く。  
ヒンジ機構２４では、ボックス２２に固定されているガイドロッド２７に、L字形アングル部材２６に保持されたスライド筒２８が摺動するので、図６（ｂ）に示されるように、フェースプレート２０を手前側（図中下側）に容易に引くことができる。このようにしてフェースプレート２０を引き出すことで、フェースプレート２０の回動中心となるピン３０の位置をボックス２２の埋め込まれた袖壁１２から離すことができる。
【００２６】
次いで、図６（ｃ）に示されるように、フェースプレート２０を図においてピン３０を中心に半時計回りに回動させると、フェースプレート２０を開くことができる。
【００２７】
このとき、ピン３０の位置は、袖壁１２から離れた位置にあり、また、ピン３０はＬ字形アングル部材２６を利用して、ボックス２２の外側に位置していることから、フェースプレート２０の回動に際して、袖壁１２との干渉を回避することができる。
【００２８】
ここで、回動によって袖壁１２に最も近づくフェースプレート２０の部位の回動半径をＲとする。Ｌ字形アングル部材２６によって、ピンの位置をボックス２２の外側に出すことで、そうでない場合に比べると、回動半径Ｒを小さくすることができる。  
そして、回動半径Ｒの距離より大きく、フェースプレート２０をボックス２２から引き出してから、フェースプレート２０を回動させれば、フェースプレート２０は、袖壁１２に当たることなく、円滑に開けることができる。なお、閉じる場合も同様である。
【００２９】
かご操作盤をリニューアルする場合、この実施形態では、既設のボックス２２は、そのまま残して再利用して、フェースプレート２０だけを交換する。  
図２において、古いフェースプレート２０は、上に持ち上げると、ヒンジ機構２４から立っているピン３０は上下とも上を向いているので、軸受金具３１をピン３０から容易に外すことができる。
【００３０】
古いフェースプレート２０を取り外してから、新しいフェースプレート２０を取り付ける場合も同様に、新しいフェースプレート２０を持ち上げて、ヒンジ機構２４のピン３０の上から軸受金具３１の穴を臨ませ、フェースプレート全体を降ろす（図中下方に）ことで、新しいフェースプレート２０を容易に取り付けることができる。
【００３１】
このようにして、ヒンジ機構２４を取り外すことなく、フェースプレート２０の取り外し、取り付けを行うことが可能である。
【００３２】
こうして、フェースプレート２０を交換したら、図６において、開ける場合とは逆に、フェースプレート２０を閉じてから、フェースプレート２０を押し込めば、フェースプレート２０の交換が終了することになる。
【００３３】
フェースプレート２０を閉じる場合も、フェースプレート２０は、袖壁１２に当たることなく、円滑に閉じられるのは、開ける場合と同様である。
【００３４】
第２実施形態  
次に、本発明の第２実施形態に係るエレベータのかご操作盤について、図７乃至図１２を参照して説明する。なお、第１実施形態と同一の構成要素には、同一の参照番号を付して、その詳細な説明は省略する。  
この第２実施形態は、交換する新しいフェースプレート２０は大きさの一定のものを共通に用い、既設のかご操作盤のボックス２２の幅が異なる場合にも対応可能なように、ヒンジ機構２４に調整機能を持たせるようにした実施形態である。
【００３５】
ここで、図７において、かご操作盤１４のボックス２２には、大小異なる幅のボックスがあるものとする。このような幅の異なるボックス２２に対して、同じ大きさのフェースプレート２０およびヒンジ機構２４を共通して使用する場合を考える。
【００３６】
ボックス２２Ａは幅の小さい方で、ボックス２２Ｂは幅の大きい方であるとする。  
同一のヒンジ機構２４の場合、ボックス２２の幅が異なると、それに応じてピン３０の位置も移動することになる。
【００３７】
ここで、仮に、幅の小さいボックス２２Ａでは、このヒンジ機構２４により、ボックス２２Ａの中心線に対して合うようにフェースプレート２０を取り付けることができたとする。
【００３８】
同じヒンジ機構２４で幅のより大きなボックス２２Ｂに対して、同じ大きさフェースプレート２０を取り付けようとすると、上述したように、ピン３０の位置がピン３０’の位置に移動するので、フェースプレート２０を閉めたときに、その幅方向の位置がボックス２２ｂに対してずれてしまい、フェースプレート２０を交換できなくなる虞がある。
【００３９】
そこで、第２実施形態では、図８乃至図１２に示されるように、ヒンジ機構２４にピン３０の位置調整機能を付加している。
【００４０】
まず、図８（ａ）に示すヒンジ機構４０では、Ｌ字形アングル部材２６の中心軸支持部２６ｂに、ピン３０を固着する替わりに、上下に穴４１ａ、４１ｂを形成している。他方、中心軸支持部２６ｂにボルト・ナットにより固定される調整プレート４２にピン３０が固着されており、この調整プレート４２には、上下で一組の穴４３ａ、４３ｂと穴４４ａ、４４ｂが合計２組形成されている。この場合、中心軸支持部２６ｂの穴４１ａ、４１ｂに対して、穴４３ａ、４３ｂ、穴４４ａ、４４ｂの上下方向の間隔は合うようになっている。また、これらの穴４３ａ、４３ｂと、穴４４ａ、４４ｂの組同士の間隔は、ボックス２２の幅の違いに対応する調整量に相当している。
【００４１】
このようなヒンジ機構４０では、図７に示したような、幅の小さいボックス２２Ａに対して取り付ける場合には、Ｌ字形アングル部材２６の穴４１ａ、４１ｂに対して、調整プレート４２の穴４３ａ、４３ｂを合わせて調整プレート４２をボルト・ナットで固定すればよい。幅の大きなボックス２２Ｂに対しては、Ｌ字形アングル部材２６の穴４１ａ、４１ｂに対して、調整プレート４２の穴４４ａ、４４ｂを合わせて調整プレート４２を固定すればよい。
【００４２】
このヒンジ機構４０では、図８（ｂ）、図８（ｃ）に示す調整プレート４２Ａを利用することも可能である。調整プレート４２Ａには、ピン３０が裏表にそれぞれ固着されている。このピン３０、３０は、水平方向にオフセットされている。一方のピン３０は上に突き出ており、他方のピン３０は下に突き出るようになっている。
【００４３】
この調整プレート４２Ａを用いる場合、図７に示したような、幅の小さいボックス２２Ａに対して取り付ける場合には、Ｌ字形アングル部材２６の穴４１ａ、４１ｂに対して、図８（ｂ）の姿勢の調整プレート４２Ａの穴４３ａ、４３ｂを合わせて固定する。幅の大きいボックス２２Ｂに対しては、図８（ｃ）に示すように、調整プレート４２Ａを上下逆に反転させてから取り付けるようにすればよい。
【００４４】
次に、図９に示すヒンジ機構４６は、Ｌ字形アングル部材２６の中心軸支持部２６ｂに、調整方向に長い１組の長穴４７ａ、４７ｂを形成し、調整プレート４２には、長穴４７ａ、４７ｂの上下方向に間隔に対応する１組の穴４３ａ、４３ｂを設けた例である。
【００４５】
このようなヒンジ機構４６では、調整プレート４２の穴４３ａ、４３ｂをL字アングル部材２６の長穴４７ａ、４７ｂに合わせて、調整プレート４２をボルト・ナットで取り付ける際に、調整プレート４２の位置を長穴４７ａ、４７ｂに沿って調整できるので、ボックス２２の幅に合わせて、ピン３０の位置を調整することができる。
【００４６】
なお、図１０に示されるように、長穴４７ａ、４７ｂには、ボルトの軸が密着する凹部４９ａ、４９ｂを形成することが好ましい。この凹部４９ａ、４９ｂにボルトの軸が密着することで調整プレート４２のガタツキを防止できる効果がある。
【００４７】
次に、図１１に示すヒンジ機構５０は、L字形アングル部材２６の中心軸支持部２６ｂに３つの穴５１ａ乃至５１ｃを形成している。これらの穴５１ａ乃至５１ｃは、正三角形の頂点をなすようになっている。
【００４８】
他方、調整プレート４２には、同じ正三角形の２つの頂点をなすように、２つの穴５２ａ、５２ｂが形成されている。また、調整プレート４２には、ピン３０が裏表にそれぞれ固着されている。このピン３０、３０は、水平方向の取付位置は同じであるが、一方のピン３０は上に突き出ており、他方のピン３０は下に突き出るようになっている。
【００４９】
このようなヒンジ機構５０では、図７に示したような、幅の大きいボックス２２Ｂに対して取り付ける場合には、図１１（ａ）に示すように、Ｌ字形アングル部材２６の穴５１ａ、５１ｂに対して、調整プレート４２の穴５２ａ、５２ｂを合わせて調整プレート４２をボルト・ナットで固定すればよい。幅の小さなボックス２２Ａに対しては、図１１（ｂ）に示すように、調整プレート４２の上下を逆に反転させ、穴５１ａ、５１ｃに対して、調整プレート４２の穴５２ｂ、５２ａを合わせて調整プレート４２を固定すればよい。
【００５０】
次に、図１２に示すヒンジ機構５５では、Ｌ字形アングル部材２６のスライド筒支持部２６ａと、スライド筒２８を保持するブラケット２９の間にスペーサ５６、５６を設けている。  このヒンジ機構５５では、厚さの異なるスペーサ５６、５６を用いることで、ボックス２２の幅に対応させて、ピン３０の位置を調整することが可能である。
【００５１】
以上のような第２実施形態によれば、第１実施形態の効果に加えて、ヒンジ機構が、ボックス２２の幅に対応させてピン３０の位置を調整できる機能を有しているので、幅の異なるボックス２２間でヒンジ機構２４およびフェースプレート２０を共通化することができる。
【００５２】
以上、本発明に係るエレベータのかご操作盤について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００５３】
１２…袖壁、１４…かご操作盤、２０…フェースプレート、２２…ボックス、２４…ヒンジ機構、２５…電装品、２６…Ｌ字形アングル部材、２７…ガイドロッド、２８…スライド筒、３０…ピン
【図１】
0005916034.tif 000002
【図２】
0005916034.tif 000003
【図３】
0005916034.tif 000004
【図４】
0005916034.tif 000005
【図５】
0005916034.tif 000006
【図６】
0005916034.tif 000007
【図７】
0005916034.tif 000008
【図８】
0005916034.tif 000009
【図９】
0005916034.tif 000010
【図１０】
0005916034.tif 000011
【図１１】
0005916034.tif 000012
【図１２】
0005916034.tif 000013